(57)【要約】【課題】ユーザインターフェースを変更可能な画像処理装置において、専用の可搬型記憶媒体を不用とすること。【解決手段】ユーザが画像処理装置１を操作する操作情報を入力するためのディスプレイパネル１０５と、ディスプレイパネル１０５を介して入力された情報に基づいて装置動作を制御するコントローラ１１０と、装置を構成する部品であって、装置本体に対して着脱可能なトナーボトル７１と、トナーボトル７１に取り付けられ、コントローラ１１０との間で情報伝達可能な不揮発性メモリ７２とを有し、コントローラ１１０は、不揮発性メモリ７１に格納されている情報に応じて入力された操作情報に基づく装置動作の制御態様を変更することを特徴とする。【選択図】図２
2008245127.tif 000002
【特許請求の範囲】
【請求項１】
ユーザが当該装置を操作する操作情報を入力するための操作部と、
前記操作部を介して入力された情報に基づいて装置動作を制御する制御部と、
前記装置を構成する部品であって、装置本体に対して着脱可能な構成部品と、
前記構成部品に取り付けられ、前記制御部との間で情報伝達可能な可搬型記憶部とを有し、
前記制御部は、前記可搬型記憶部に格納されている情報に応じて前記入力された操作情報に基づく前記装置動作の制御態様を変更することを特徴とする、画像処理装置。
【請求項２】
前記構成部品は、消耗品を含む消耗部品であることを特徴とする、請求項１に記載の画像処理装置。
【請求項３】
前記構成部品は、顕色剤を収容する顕色剤容器であることを特徴とする、請求項２に記載の画像処理装置。
【請求項４】
前記制御部は、前記可搬型記憶部に格納されている情報に応じて当該画像処理装置が有する機能の有効若しくは無効を切り換えることを特徴とする、請求項１乃至３のいずれか１項に記載の画像処理装置。
【請求項５】
情報を視覚的に表示する表示部を更に有し、
前記制御部は、前記可搬型記憶部に格納されている情報に応じて前記表示部の画面表示を変更することを特徴とする、請求項１乃至４のいずれか１項に記載の画像処理装置。
【請求項６】
前記表示部は、当該画像処理装置が有する複数の機能に夫々対応する情報を表示し、
前記制御部は、前記可搬型記憶部に格納されている情報に応じて前記複数の機能の有効若しくは無効を切り換えると共に、当該無効とされた機能に対応する情報を前記表示部から消去することを特徴とする、請求項５に記載の画像処理装置。
【請求項７】
前記制御部は、前記可搬型記憶部からの情報読み出しに失敗した場合、予め定められた初期設定に基づいて装置動作を制御することを特徴とする、請求項１乃至６のいずれか１項に記載の画像処理装置。
【請求項８】
前記装置動作の制御に関する設定情報が格納された設定情報記憶部を更に有し、
前記制御部は、前記可搬型記憶部に格納されている情報に対応する設定情報を前記設定情報記憶部から読み出し、当該設定情報に基づいて前記入力された操作情報に基づく前記装置動作の制御態様を変更することを特徴とする、請求項１乃至７のいずれか１項に記載の画像処理装置。
【請求項９】
前記記憶部は、前記装置動作の制御に関する設定情報を記憶しており、
前記制御部は、前記可搬型記憶部から読み出した前記設定情報に応じて前記入力された操作情報に基づく前記装置動作の制御態様を変更することを特徴とする、請求項１乃至７のいずれか１項に記載の画像処理装置。
【請求項１０】
装置本体に対して脱着可能な画像処理装置の構成部品であって、
前記画像処理装置を制御する制御部によって読み取り可能な可搬型記憶部を有し、
前記可搬型記憶部は、前記画像処理装置の操作部に入力された操作情報に基づく前記制御部による当該画像処理装置の制御態様を決定する情報を記憶していることを特徴とする、画像処理装置の構成部品。
【請求項１１】
画像処理装置の制御方法であって、
前記画像処理装置を構成する構成体であって装置本体に対して着脱可能な構成部品に設けられた可搬型記憶部から情報を読み出し、
前記ユーザからの操作情報を受信し、
前記読み出した情報に応じて前記操作情報に対する装置の応答態様を変更することを特徴とする、画像処理装置の制御方法。
【発明の詳細な説明】
【技術分野】
【０００１】
本発明は、画像処理装置、画像処理装置の交換部品及び画像形成装置の制御方法に関し、特に画像処理装置のユーザインターフェースの切り換えに関する。
【背景技術】
【０００２】
近年、情報の電子化が推進される傾向にあり、電子化された情報の出力に用いられるプリンタやファクシミリ、書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。このような複合機においては、多機能化に伴って操作方法が複雑化している。このような課題に対して、ユーザ毎にＵＩ（Ｕｓｅｒ  Ｉｎｔｅｒｆａｃｅ：ユーザインターフェース）を変更することにより、ユーザの利便性を向上する技術が提案されている（例えば特許文献１参照）。
【特許文献１】特開２００５−１９３４０３号公報
【発明の開示】
【発明が解決しようとする課題】
【０００３】
特許文献１の方法においては、ユーザ毎にＵＩを切り換えることが前提となっているが、実際の画像処理装置の使用態様によっては、そのような必要がない場合もある。例えば、納品時にＵＩのカスタマイズを行い、複数のユーザがそのＵＩを使用する場合等が挙げられる。このような場合、特許文献１に開示された方法では、専用の可搬型記憶媒体及びその読取装置が必須となることや、異なるユーザが装置を使用する度にインターフェースを切り換える必要がある等の不便性のみが強調されることとなる。また、ユーザによる自由な設定変更が許可されていることにより、ユーザによる誤った操作によってＵＩに不具合を生じる可能性もある。
【０００４】
本発明は、上述した実情を考慮してなされたもので、ユーザインターフェースを変更可能な画像処理装置において、専用の可搬型記憶媒体を不用とすることを目的とする。
【課題を解決するための手段】
【０００５】
上記の課題を解決するために、請求項１に記載の発明は、画像処理装置であって、ユーザが当該装置を操作する操作情報を入力するための操作部と、前記操作部を介して入力された情報に基づいて装置動作を制御する制御部と、前記装置を構成する部品であって、装置本体に対して着脱可能な構成部品と、前記構成部品に取り付けられ、前記制御部との間で情報伝達可能な可搬型記憶部とを有し、前記制御部は、前記可搬型記憶部に格納されている情報に応じて前記入力された操作情報に基づく前記装置動作の制御態様を変更することを特徴とする。
【０００６】
また、請求項２に記載の発明は、請求項１に記載の画像処理装置において、前記構成部品は、消耗品を含む消耗部品であることを特徴とする。
【０００７】
また、請求項３に記載の発明は、請求項２に記載の画像処理装置において、前記構成部品は、顕色剤を収容する顕色剤容器であることを特徴とする。
【０００８】
また、請求項４に記載の発明は、請求項１乃至３のいずれか１項に記載の画像処理装置において、前記制御部は、前記可搬型記憶部に格納されている情報に応じて当該画像処理装置が有する機能の有効若しくは無効を切り換えることを特徴とする。
【０００９】
また、請求項５に記載の発明は、請求項１乃至４のいずれか１項に記載の画像処理装置において、情報を視覚的に表示する表示部を更に有し、前記制御部は、前記可搬型記憶部に格納されている情報に応じて前記表示部の画面表示を変更することを特徴とする。
【００１０】
また、請求項６に記載の発明は、請求項５に記載の画像処理装置において、前記表示部は、当該画像処理装置が有する複数の機能に夫々対応する情報を表示し、前記制御部は、前記可搬型記憶部に格納されている情報に応じて前記複数の機能の有効若しくは無効を切り換えると共に、当該無効とされた機能に対応する情報を前記表示部から消去することを特徴とする。
【００１１】
また、請求項７に記載の発明は、請求項１乃至６のいずれか１項に記載の画像処理装置において、前記制御部は、前記可搬型記憶部からの情報読み出しに失敗した場合、予め定められた初期設定に基づいて装置動作を制御することを特徴とする。
【００１２】
また、請求項８に記載の発明は、請求項１乃至７のいずれか１項に記載の画像処理装置において、前記装置動作の制御に関する設定情報が格納された設定情報記憶部を更に有し、前記制御部は、前記可搬型記憶部に格納されている情報に対応する設定情報を前記設定情報記憶部から読み出し、当該設定情報に基づいて前記入力された操作情報に基づく前記装置動作の制御態様を変更することを特徴とする。
【００１３】
また、請求項９に記載の発明は、請求項１乃至７のいずれか１項に記載の画像処理装置において、前記記憶部は、前記装置動作の制御に関する設定情報を記憶しており、前記制御部は、前記可搬型記憶部から読み出した前記設定情報に応じて前記入力された操作情報に基づく前記装置動作の制御態様を変更することを特徴とする。
【００１４】
また、請求項１０に記載の発明は、装置本体に対して脱着可能な画像処理装置の構成部品であって、前記画像処理装置を制御する制御部によって読み取り可能な可搬型記憶部を有し、前記可搬型記憶部は、前記画像処理装置の操作部に入力された操作情報に基づく前記制御部による当該画像処理装置の制御態様を決定する情報を記憶していることを特徴とする。
【００１５】
また、請求項１１に記載の発明は、画像処理装置の制御方法であって、前記画像処理装置を構成する構成体であって装置本体に対して着脱可能な構成部品に設けられた可搬型記憶部から情報を読み出し、前記ユーザからの操作情報を受信し、前記読み出した情報に応じて前記操作情報に対する装置の応答態様を変更することを特徴とする。
【発明の効果】
【００１６】
本発明によれば、ユーザインターフェースを変更可能な画像処理装置において、専用の可搬型記憶媒体を不用とすることが可能となる。
【発明を実施するための最良の形態】
【００１７】
以下、図面を参照して、本発明の実施形態を詳細に説明する。
【実施例１】
【００１８】
図１は、本実施例に係る画像処理装置１の全体構成を示すブロック図である。図１に示すように、本実施例に係る画像処理装置１は、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ホストＩ／Ｆ１０４、ディスプレイパネル１０５、給紙テーブル１０６、プリントエンジン１０７、排紙トレイ１０８及びコントローラ１１０を有する。また、コントローラ１１０は、主制御部１１１、エンジン制御部１１２、入出力制御部１１３、操作表示制御部１１４及びＵＩ（Ｕｓｅｒ  Ｉｎｔｅｒｆａｃｅ：ユーザインターフェース）記憶部１１５を有する。尚、図１においては、電気的接続を実線の矢印で示しており、用紙の流れを破線の矢印で示している。
【００１９】
ホストＩ／Ｆ１０４は、画像処理装置１がイーサネット（登録商標）等の回線を介してホスト装置等の他の機器と通信する際のインターフェースである。ホスト装置が送信した印刷ジョブは、ホストＩ／Ｆ１０４を介してコントローラ１１０に入力され、コントローラ１１０の制御に従って印刷ジョブに基づいた画像形成処理が実行される。ディスプレイパネル１０５は、画像処理装置１の状態を視覚的に表示する出力インターフェース（表示部）であると共に、タッチパネルとしてユーザが画像処理装置１を直接操作する際の入力インターフェース（操作部）でもある。
【００２０】
コントローラ１１０は、ソフトウェアとハードウェアとの組み合わせによって構成される。具体的には、ＲＯＭ（Ｒｅａｄ  Ｏｎｌｙ  Ｍｅｍｏｒｙ）やＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）並びに磁気ディスクや光学ディスク等の不揮発性記憶媒体に格納されたファームウェア等の制御プログラムが、ＤＲＡＭ（Ｄｙｎａｍｉｃ  Ｒａｎｄｏｍ  Ａｃｃｅｓｓ  Ｍｅｍｏｒｙ）等の揮発性メモリ（以下、メモリ）にロードされ、ＣＰＵ（Ｃｅｎｔｒａｌ  Ｐｒｏｃｅｓｓｉｎｇ  Ｕｎｉｔ）の制御に従って構成されるソフトウェア制御部と集積回路などのハードウェアとによってコントローラ１１０が構成される。コントローラ１１０は、画像処理装置１全体を制御する制御部として機能する。
【００２１】
主制御部１１１は、コントローラ１１０に含まれる各制御部全体を制御する役割を担い、他の制御部が受信若しくは生成した信号に基づいてコントローラ１１０の各部に命令を与える。エンジン制御部１１２は、プリントエンジン１０７やスキャナユニット１０２等を制御若しくは駆動する駆動手段としての役割を担い、主制御部１１１の命令に従って給紙テーブル１０６に含まれる給紙ローラや搬送ローラを駆動し、プリントエンジン１０７に用紙を搬送すると共に、印刷ジョブに基づいて生成された画像形成情報に基づいてプリントエンジン１０７を駆動し、用紙に対して画像形成を実行させる。プリントエンジン１０７によって画像形成が施された文書は排紙トレイ１０８に排紙される。
【００２２】
また、エンジン制御部１１２は、主制御部１１１の命令に従ってＡＤＦ１０１に含まれる原稿給紙台及び搬送ローラを駆動し、スキャナユニット１０２に読み取り原稿を搬送すると共に、スキャナユニット１０２を駆動して原稿の光学情報を電気信号に変換し、画像情報を生成する。スキャナユニット１０２において撮像された原稿は排紙トレイ１０３に排出される。更に、エンジン制御部１１２は、プリントエンジン１０７に含まれるトナーボトル（図１において不図示）に取り付けられた記憶媒体の情報を読み出す機能を有する。これについては後に詳述する。入出力制御部１１３は、ホストＩ／Ｆ１０４を介して入力される印刷ジョブを主制御部１１１に入力すると共に、ホストＩ／Ｆ１０４を介してホスト装置に情報を送信する。操作表示制御部１１４は、主制御部１１１の制御に従ってディスプレイパネル１０５を制御する。ＵＩ記憶部１１５は、ディスプレイパネル１０５に表示すべきＵＩの情報を記憶している設定情報の記憶部である。操作表示制御部１１４及びＵＩ記憶部１１５については、後に詳述する。
【００２３】
次に、図２を参照して、本実施例に係るプリントエンジン１０７の一部について説明する。図２は、コントローラ１１０及びプリントエンジン１０７の一部を詳細に示すブロック図である。図２に示すように、本実施例に係るプリントエンジン１０７は顕色剤となるトナーの容器であるトナーボトル７１、トナーボトル７１に取り付けられた不揮発性メモリ７２、プリントエンジン１０７においてトナーボトル７１を保持するトナーホルダ７３及び不揮発性メモリ７２の情報を読み出し若しくは情報を記録するメモリリーダ／ライタ７４を有する。不揮発性メモリ７２は、可搬型の記憶部であり、典型的にはＥＥＰＲＯＭ等の半導体メモリによって構成されるが、磁気記録媒体、光記憶媒体等の他の記憶媒体であっても良い。メモリリーダ／ライタ７４はトナーホルダ７３に取り付けられている。図３（ａ）、図３（ｂ）は、トナーボトル７１及びトナーホルダ７３を模式的に示す斜視図である。図３（ａ）は、トナーボトル７１とトナーホルダ７３とが分離した状態を示し、図３（ｂ）は、トナーボトル７１がトナーホルダ７３にセットされた状態を示す。
【００２４】
図３（ａ）に示すように、不揮発性メモリ７２はトナーボトル７１の長手方向端部に設けられている。また、トナーホルダ７３はトナーボトル保持部７３ａを有する。図４は、トナーボトル保持部７３ａのトナーボトル挿し込み面を模式的に示す平面図である。図４に示すように、トナーボトル保持部７３ａのトナーボトル挿し込み面にメモリリーダ／ライタ７４が設けられている。このトナーボトル保持部７３ａにトナーボトル７１を挿し込むことにより、トナーホルダ７３にトナーボトル７１が保持される。トナーボトル保持部７３ａにトナーボトル７１を挿し込む際には、不揮発性メモリ７２が設けられている側を挿し込む。これにより、不揮発性メモリ７２とメモリリーダ／ライタ７４とが接続され、メモリリーダ／ライタ７４が不揮発性メモリ７２に格納された情報を読み出し若しくは不揮発性メモリ７２に対して情報を書き込むことが可能になる。図３（ｂ）に示す状態において、トナーボトル７１及びトナーホルダ７３がプリントエンジン１０７にセットされる。尚、本実施例においては、メモリリーダ／ライタ７４と不揮発性メモリ７２とが接続される直接接続される例を説明するが、この他、ＲＦＩＤ（Ｒａｄｉｏ  Ｆｒｅｑｕｅｎｃｙ  Ｉｄｅｎｔｉｆｉｃａｔｉｏｎ）、Ｂｌｕｅｔｏｏｔｈ等の非接触インターフェースを用いることにより、メモリリーダ／ライタ７４と不揮発性メモリ７２とが無線通信可能なように構成することもできる。
【００２５】
このような画像処理装置１において、本実施例の要旨は、不揮発性メモリ７２に格納されている情報に基づいて画像処理装置１の機能やディスプレイパネル１１４に表示されるＵＩを切り換えることにある。以下、本実施例に係る画像処理装置１のＵＩ切り換え動作について説明する。図５は、ＵＩ記憶部１１５に格納されている設定種別機能テーブルに含まれる情報例を示す図である。図５に示すように、設定種別機能テーブルは、画像処理装置１の設定種別及び夫々の設定種別を一意に識別するＩＤ並びに夫々の設定種別においてコピー、ファックス、スキャナ、プリンタ夫々の機能が有効か無効かを示す情報が格納されている。図５に示す設定１の場合、ＩＤとして“１”が割り振られており、コピー、ファックス、スキャナ及びプリンタの全ての機能が有効な状態となっている。また、設定２の場合、ＩＤとして“２”が割り振られており、ファックス及びスキャナ機能が有効な状態となっている。以降、設定３、設定４についても夫々ＩＤ及び機能が設定されている。ＵＩ記憶部１１５には、図５に示す設定種別機能テーブルに加え、夫々の設定種別においてディスプレイパネル１０５に表示される表示データが格納されている。不揮発性メモリ７２には、図５に示す夫々の設定種別のうちいずれか１つを呼び出すためのＵＩ呼出情報が格納されている。
【００２６】
次に、図５に示す夫々の設定種別におけるディスプレイパネル１０５の画面表示を図６（ａ）〜（ｄ）に示す。図６（ａ）〜（ｄ）は、図５に示す夫々の設定種別におけるディスプレイパネル１０５の状態を示す平面図である。図６（ａ）は、設定１に対応するディスプレイパネル１０５の状態を示す。設定１においては、上述した通り、コピー、ファックス、スキャナ及びプリンタ機能の全てが有効となっているため、図６（ａ）に示すように、ディスプレイパネル１０５の表示部には、コピー、ファックス、スキャナ及びプリンタとしての動作を実行するためのＵＩが表示される。以降、図６（ｂ）、図６（ｃ）、図６（ｄ）は夫々設定２、設定３、設定４に対応するディスプレイパネル１０５の状態を示す。即ち、図６（ｂ）〜（ｄ）に示すように、夫々の設定種別において有効となっている機能のＵＩがディスプレイパネル１０５に表示される。
【００２７】
次に、図７を参照して、本実施例に係る画像処理装置１のＵＩ切り換え動作について説明する。図７は、本実施例に係る画像処理装置１のＵＩ切り換え動作を示すフローチャートである。ＵＩの切り換え動作が開始されると、エンジン制御部１１２は、主制御部１１１の制御に従ってトナーボトル７１及びトナーホルダ７３がセットされているか否かを確認する（S７０１）。トナーボトル７１及びトナーホルダ７３がセットされていれば（Ｓ７０２）、次に、エンジン制御部１１２は不揮発性メモリ７２に対してアクセスを試みることにより、不揮発性メモリ７２の有無を確認する（Ｓ７０３）。この時、エンジン制御部１１２は、図２に示すように、トナーホルダ７３に設けられているメモリリーダ／ライタ７４を介して不揮発性メモリ７２にアクセスする。また、エンジン制御部１１２が不揮発性メモリ７２にアクセスしている間、ディスプレイパネル１０５は、図８（ａ）に示すような画面表示となる。尚、トナーボトルがセットされていない場合（Ｓ７０２）、エンジン制御部１１２からその旨の通知を受けた主制御部１１１は、操作表示制御部１１４を制御し、図８（ｂ）に示すような警告画面をディスプレイパネル１０５に表示し（Ｓ７０８）、処理を終了する。
【００２８】
Ｓ７０３における不揮発性メモリ７２へのアクセスの結果、情報の読み出しに成功した場合（Ｓ７０４）、エンジン制御部１１２は、不揮発性メモリ７２に格納されているＵＩ呼出情報を読み出し、主制御部１１１に送信する。主制御部１１１は、エンジン制御部１１２から受信したＵＩ呼出情報に対応する設定種別がＵＩ記憶部１１５に格納されているか否か確認する（Ｓ７０５）。尚、不揮発性メモリ７２からの情報の読み出しに失敗した場合（Ｓ７０５）、エンジン制御部１１２からその旨の通知を受けた主制御部１１１は、操作表示制御部１１４を制御し、図８（ｃ）に示すような初期画面をディスプレイパネル１０５に表示すると共に画像処理装置１の機能を初期状態に切り換え（Ｓ７０９）、処理を終了する。ここで、不揮発性メモリ７２からの情報の読み出しに失敗する場合とは、例えば、トナーボトル７１に不揮発性メモリ７２が設けられていない場合や、不揮発性メモリ７２にＵＩ呼出情報が格納されていない場合等が挙げられる。
【００２９】
Ｓ７０５の確認の結果、不揮発性メモリ７２から読み出したＵＩ呼出情報に対応する設定種別がＵＩ記憶部１１５に格納されていれば（Ｓ７０６）、主制御部１１１は、ＵＩ記憶部１１５から該当する設定種別に対応する設定情報を読み出し、画像処理装置１の機能を切り換える（Ｓ７０７）。また、操作表示部１１４は、主制御部１１１の制御に従い、対応する設定種別の表示データを読み出す。そして、当該設定種別に基づいてディスプレイパネル１０５の表示を切り換え（Ｓ７０７）、処理を終了する。他方、ＵＩ呼出情報に対応する設定種別がＵＩ記憶部１１５に格納されていなければ（Ｓ７０６）、主制御部１１１は、操作表示制御部１１４を制御し、初期画面を表示すると共に画像処理装置１の機能を初期状態に切り換え（Ｓ７０９）、処理を終了する。
【００３０】
このような画像処理装置１のＵＩの切り換え動作（設定動作）は、例えば画像処理装置１に電源が投入され、起動する際に実行される。その他、画像処理装置１が省電力状態から通常状態に復帰する際や、トナーボトル７１及びトナーホルダ７３がセットされた際等に実行することにより、同様の効果を得ることができる。このように、本実施例に係る画像処理装置１においては、トナーボトル７１及びトナーホルダ７３を画像処理装置１本体にセットすることにより、不揮発性メモリ７２に記憶されているＵＩ呼出情報に基づいて画像処理装置１の機能及びディスプレイパネル１０５のＵＩが切り換わる。従って、ユーザがＵＩ切り換えのために操作する必要がなく、ユーザの手間を省くことができる。
【００３１】
また、近年の画像処理装置においては、トナーボトル等の消耗部品や交換部品にＲＦＩＤ等の記憶媒体が設けられており、使用回数のカウントや内部の消耗品残量等の状態を電子的に検出することが行われている。従って、本実施例の実現に際し、トナーボトル７１に設ける不揮発性メモリ７２はそのような記憶媒体を使用することができるため、新たに不揮発性メモリ及びメモリリーダ／ライタを設けることなく、容易に実現可能である。更に、本実施例においては、画像処理装置１のＵＩは、ユーザが個別に設定するのではなく、不揮発性メモリ７２に格納されているＵＩ呼出情報に基づいて、予めＵＩ記憶部１１５に記憶されている設定を呼び出すことにより変更、設定する。従って、ユーザによる操作ミス等により、画像処理装置１のＵＩに不具合が生じてしまうことがない。
【００３２】
本実施例に係る画像処理装置１の実施態様としては、画像処理装置１の購入若しくはリース、レンタル時に、購入者若しくは使用者がＵＩを選択し、そのＵＩに対応するＵＩ呼出情報が格納されたトナーボトル７１を継続的に購入するといった態様が挙げられる。これにより、販売者は、装置を販売した後も継続的なトナーボトルの販売を見込むことが可能となる。結果的に、他の互換品等が使用されることによるトナーの販売機会の損失を防ぐことができる。また、正規品以外のトナーボトルを使用することによる装置の不具合を回避することが可能となる。更に、不揮発性メモリ７２に格納されているＵＩ呼出情報に基づいてＵＩが設定、変更されるため、複数の装置のＵＩを設定する際であっても、対応するＵＩ呼出情報が格納されたトナーボトル７３を用いれば良く、装置毎にＵＩを設定する手間を省くことが可能となる。
【００３３】
尚、上記の説明においては、図７のＳ７０４において情報の読み出しに失敗した場合、ＵＩを初期状態とする例を説明した。これにより、例えば正規品以外のトナーボトル７３を用いた場合等は、購入若しくは使用開始時に選択したＵＩを呼び出すことができないため、ユーザにとっては利便性が損なわれることとなる。結果として、正規品のトナーボトルの使用を促すことができる。この他、情報の読み出しに失敗した場合は、例えば、正規のトナーボトルを使用する旨の警告画面を表示するようにしても良い。これにより、正規品以外のトナーボトルの使用を完全に排除することが可能となる。
【００３４】
また、このようなＵＩの切り換え方法を用いることにより、機能の異なる複数の機種をラインナップする際に、製造上のメリットを得ることができる。即ち、顧客毎に夫々機能を専用化して納品若しくはリースする場合等であっても、画像処理装置１本体のハードウェア構成を同一もしくは略同一とし、異なるＵＩを設定することにより、見かけ上異なる機種として構成することが可能となる。これにより、製造工程の簡略化等を図ることが可能となる。また、画像処理装置１をレンタルする場合においては、従来の場合、貸し出しユーザの要望に応じて、装置の設定を直接変更する必要があるが、本実施例を用いることにより、不揮発性メモリ７２に含まれるＵＩ呼出情報を選択すれば装置の設定を完了することができるため、装置管理者の作業量を大幅に低減することが可能となる。
【００３５】
また、上記の説明においては、不揮発性メモリ７２に格納されているＵＩ呼出情報に基づいて画像処理装置１の機能及びディスプレイパネル１０５の画面表示が変更される例を説明した。しかしながら、ＵＩ呼出情報に基づいて画像処理装置１の機能を変更するのみでも良い。若しくは、画像処理装置１の機能及びディスプレイパネル１０５の画面表示はそのままで、ユーザによるディスプレイパネル１０５への操作に対する画像処理装置１の応答を変更しても良い。即ち、ユーザによってディスプレイパネル１０５に入力された操作情報に対するコントローラ１１０の画像処理装置１の制御態様を変更しても良い。例えば、ディスプレイパネル１０５の画面表示はそのままであり、図５に示す設定種別において無効とされている操作がされた場合は、装置が反応しない設定とするようにしても良い。換言すると、操作表示制御部１１５が、ユーザによるディスプレイパネル１０５への操作に対する挙動（応答）、即ち主制御１１１への操作情報伝達態様若しくはをＵＩ呼出情報に応じて変更すれば良い。
【００３６】
また、上記の説明においては、図５に示すように、不揮発性メモリ７２に格納されているＵＩ呼出情報に応じて画像処理装置１の機能の有効／無効を切り換える例を説明した。しかしながら、機能の有効／無効の切り換えは必須ではない。例えば、異なる設定種別において、ディスプレイパネル１０５に表示される画面表示を切り換えるのみでも良い。同一の機能を有する画像処理装置であっても、その使用環境によりＵＩに求められる操作性は異なるため、このように、ＵＩの切り換え態様として、ディスプレイパネル１０５の画面表示を切り換えることにより、夫々の使用環境に合致した操作性を提供することが可能となる。
【００３７】
更に、上記の説明においては、ＵＩ記憶部１１５に、図５に示す設定種別機能テーブルに加え、夫々の設定種別においてディスプレイパネル１０５に表示される表示データが格納されており、図６に示すように表示が切り換わる例を説明した。この他、例えば図５に示す設定種別において無効とされているＵＩが非表示となるようにすることもできる。図９（ａ）〜（ｄ）は、このような例に係る図６（ａ）〜（ｄ）に夫々対応するディスプレイパネル１０５の表示状態を示す平面図である。図９（ａ）は、図６（ａ）と同様に、全ての機能が有効になっている状態を示す。
【００３８】
図９（ｂ）、図９（ｃ）、図９（ｄ）は、図５に示す設定２、設定３、設定４に夫々対応するディスプレイパネル１０５の表示状態を示す。図９（ｂ）〜（ｄ）に示すように、本例においては、設定種別によって無効となっているＵＩが非表示となる。本例に係るＵＩの切り換え方法は、操作表示制御部１１４がＵＩ記憶部１１５に記憶されている各機能の有効、無効を示す情報に基づいて、図９（ａ）〜（ｄ）に示すように、各機能に対応するＵＩのディスプレイパネル１０５への表示／非表示を切り換えれば良い。換言すると、操作表示制御部１１５は、ＵＩ呼出情報に対応する設定種別に応じて、無効となっている機能のＵＩをディスプレイパネル１０５の表示画面から消去する。従って、ＵＩ記憶部１１５に設定種別毎の表示情報を記憶する必要がない。尚、図６（ａ）〜（ｄ）の例のように、ＵＩ記憶部１１５にディスプレイパネル１０５の表示情報を格納する場合、その表示態様は図６（ａ）〜（ｄ）に示す態様以外であっても良く、例えば夫々の設定種別に合わせて画面上の押下部等が配置された専用の設定情報を生成し、格納しても良い。
【００３９】
また、上記の説明においては、不揮発性メモリ７２をトナーボトル７３に設ける例を説明した。しかしながら、不揮発性メモリ７２を設ける画像処理装置１の部品はトナーボトル７３以外であってもよく、感光体ドラム等の感光体ユニットや、定着ローラ等が挙げられる。その他、画像処理装置１の機能を担う構成体であって装置本体に対して脱着可能な構成部品であれば実装可能である。また、本実施例に係る不揮発性メモリ７２を設ける部品は、消耗部品として定期的な交換が必要となる部品であれば、その都度販売機会を見込めるため好ましい。
【実施例２】
【００４０】
実施例１においては、画像処理装置１の機能設定やディスプレイパネル１０５の画面表示データは画像処理装置１のＵＩ記憶部１１５に格納されており、不揮発設メモリ７２にはそれらを呼び出すためのＵＩ呼出情報が格納されている例を説明した。本実施例においては、画像処理装置１の機能設定やディスプレイパネル１０５の画面表示データ等がすべて不揮発性メモリ７２に格納されている例を説明する。尚、実施例１と同様の符号を付す構成については実施例１と同一又は相当部を示し、説明を省略する。図１０は、本実施例に係る画像処理装置１の全体構成を示すブロック図である。図１０に示すように、本実施例に係る画像処理装置１は、実施例１の態様に対してＵＩ記憶部１１５が省略された態様となっている。
【００４１】
次に、図１１（ａ）、図１１（ｂ）を用いて、本実施例に係る不揮発性メモリ７２に格納されている情報について説明する。図１１（ａ）は、本実施例に係る不揮発性メモリ７２に格納されているＵＩ設定情報の例を示す図である。図１１（ａ）に示すように、本実施例に係る不揮発性メモリ７２は、ＵＩ設定情報識別子、機能設定情報及び表示データを含む。ＵＩ設定情報識別子は、画像処理装置１の機能設定及び表示データであることを示す識別子である。機能設定情報は、図１１（ｂ）に示す情報であり、実施例１の図５における一の設定種別に含まれる情報に該当する。表示データは、ディスプレイパネル１０５に表示すべきＵＩの画面情報である。
【００４２】
次に、図１２を参照して、本実施例に係る画像処理装置１のＵＩ切り換え動作について説明する。図１２は、本実施例に係る画像処理装置１のＵＩ切り換え動作を示すフローチャートである。ＵＩの切り換え動作が開始されると、エンジン制御部１１２は、主制御部１１１の制御に従ってトナーボトル７１及びトナーホルダ７３がセットされているか否かを確認する（Ｓ１２０１）。トナーボトル７１及びトナーホルダ７３がセットされていれば（Ｓ１２０２）、次に、エンジン制御部１１２は不揮発性メモリ７２へアクセスすることにより、不揮発性メモリ７２の有無を確認する（Ｓ１２０３）。尚、トナーボトルがセットされていない場合（Ｓ１２０２）、エンジン制御部１１２からその旨の通知を受けた主制御部１１１は、操作表示制御部１１４を制御し、警告画面をディスプレイパネル１０５に表示した上で（Ｓ１２０８）、処理を終了する。
【００４３】
Ｓ１２０３における不揮発性メモリ７２へのアクセスの結果、情報の読み出しに成功した場合（Ｓ１２０４）、エンジン制御部１１２は、不揮発性メモリ７２に格納されている情報を読み出し、主制御部１１１に送信する。主制御部１１１は、エンジン制御部１１２から受信した情報に図１１（ａ）において説明したＵＩ設定情報識別子が含まれるか否か確認する（Ｓ１２０５）。尚、不揮発性メモリ７２からの情報の読み出しに失敗した場合（Ｓ１２０４）、エンジン制御部１１２からその旨の通知を受けた主制御部１１１は、操作表示制御部１１４を制御し、初期画面をディスプレイパネル１０５に表示すると共に画像処理装置１の機能を初期状態に切り換え（Ｓ１２０９）、処理を終了する。
【００４４】
Ｓ１２０５の確認の結果、不揮発性メモリ７２から読み出した情報にＵＩ設定情報識別子が含まれていれば（Ｓ１２０６）、主制御部１１１は、不揮発性メモリ７２から読み出した情報に含まれる機能設定情報に基づいて画像処理装置１の機能を切り換える（Ｓ１２０７）。また、主制御部１１１は、表示データを操作表示部１１４に送信する。操作表示部１１４は、主制御部１１１から受信した表示データに基づいてディスプレイパネル１０５の表示を切り換え（Ｓ１２０７）、処理を終了する。他方、ＵＩ設定情報識別子が検出されなければ（Ｓ１２０６）、主制御部１１１は、操作表示制御部１１４を制御し、初期画面をディスプレイパネル１０５に表示すると共に画像処理装置１の機能を初期状態に切り換え（Ｓ１２０９）、処理を終了する。
【００４５】
このように、本実施例においては、不揮発性メモリ７２に格納されている情報に基づいて画像処理装置１の機能設定及びＵＩ画面表示を切り換える。本実施例に係るＵＩ切り換え方法を用いる場合、トナーボトル提供者がユーザの要望に合わせてディスプレイパネル１０５の表示情報を生成することが可能となる。従って、実施例１のように、予めＵＩ記憶部１１５に記憶されている情報を読み出す場合に対して、より柔軟な機能及びＵＩ表示設定を行うことが可能となる。また、画像処理装置１のＵＩ記憶部１１５及びＵＩ記憶部１１５への情報の事前設定を省略することが可能となるため、生産性の向上を図ることが可能となる。
【００４６】
［その他の実施例］
実施例１、実施例２においては、不揮発性メモリ７２に格納されている情報（ＵＩ呼出情報、ＵＩ設定情報）に基づいて画像処理装置１の機能やＵＩを設定、変更する例を説明した。このような態様に加え、更にユーザ毎の設定を可能とすることもできる。実施例１に対応する例の場合、図１３（ａ）に示すように、夫々の設定種別に対して更にユーザ毎の設定がＵＩ記憶部１１５に記憶されている。操作表示部１１４が、ＵＩ呼出情報に対応する設定種別をＵＩ記憶部１１５から読み出す際は、登録されている全てのユーザの設定を読み出す。そして、ディスプレイパネル１０５にはログイン画面が表示され、ログインしたユーザに対応して画像処理装置１の機能及びディスプレイパネル１０５の表示が切り換えられる。
【００４７】
また、実施例２に対応する例の場合、不揮発性メモリ７２に格納されているＵＩ設定情報中の機能設定情報が、図１３（ｂ）に示すように夫々のユーザ毎に格納されている。また、ここでは図示しないが、ＵＩ設定情報中の表示データも夫々のユーザ毎に格納されている。この場合においても、上記と同様に、ログインしたユーザに対応して画像処理装置１の機能及びディスプレイパネル１０５の表示が切り換えられる。このように、ユーザ毎にＵＩ記憶部１１５の情報若しくはＵＩ設定情報を記憶しておくことにより、不正なユーザによる使用を防ぎ、セキュリティを高めることができる。
【図面の簡単な説明】
【００４８】
【図１】本発明の実施例に係る画像処理装置の全体構成を示すブロック図である。
【図２】本発明の実施例に係る画像処理装置のコントローラ及びプリントエンジンの一部を示すブロック図である。
【図３】本発明の実施例に係るトナーボトル及びトナーホルダを示す斜視図である。
【図４】本発明の実施例に係るトナーホルダのトナーボトル保持部を示す平面図である。
【図５】本発明の実施例に係るＵＩ記憶部に含まれる情報例を示す図である。
【図６】本発明の実施例に係るディスプレイパネルの表示例を示す図である。
【図７】本発明の実施例に係るＵＩ切り換え動作を示すフローチャートである。
【図８】本発明の実施例に係るディスプレイパネルの表示例を示す図である。
【図９】本発明の他の実施例に係るディスプレイパネルの表示例を示す図である。
【図１０】本発明の他の実施例に係る画像処理装置の全体構成を示すブロック図である。
【図１１】本発明の他の実施例に係る不揮発性メモリに格納されているＵＩ設定情報の情報例を示す図である。
【図１２】本発明の他の実施例に係るＵＩ切り換え動作を示すフローチャートである。
【図１３】本発明の他の実施例に係るＵＩ記憶部に格納された情報例及びＵＩ設定情報に含まれる情報例を示す図である。
【符号の説明】
【００４９】
１    画像処理装置
７１    トナーボトル
７２    不揮発性メモリ
７３    トナーホルダ
７３    トナーボトル保持部
７４    メモリリーダ／ライタ
１０１    ＡＤＦ
１０２    スキャナユニット
１０３    排紙トレイ
１０４    ホストＩ／Ｆ
１０５    ディスプレイパネル
１０６  給紙テーブル
１０７    プリントエンジン
１０８    排紙トレイ
１１０    コントローラ
１１１    主制御部
１１２    エンジン制御部
１１３    入出力制御部
１１４    操作表示制御部
１１５    ＵＩ記憶部
【図１】
2008245127.tif 000003
【図２】
2008245127.tif 000004
【図３】
2008245127.tif 000005
【図４】
2008245127.tif 000006
【図５】
2008245127.tif 000007
【図６】
2008245127.tif 000008
【図７】
2008245127.tif 000009
【図８】
2008245127.tif 000010
【図９】
2008245127.tif 000011
【図１０】
2008245127.tif 000012
【図１１】
2008245127.tif 000013
【図１２】
2008245127.tif 000014
【図１３】
2008245127.tif 000015